(57)【要約】【課題】低コストで計器用文字盤の視認性を確保しつつ斬新な見映えを実現できる計器用文字盤とこれを有する計器を提供する。【解決手段】計器用文字盤２は、基板２４と、基板２４の表面側に設けられると共に微小な凹凸を有する第１凹凸層２３と、第１凹凸層２３の表面の一部の領域に凹凸を埋めて平坦化するように形成される凹凸消去層３とを備える。これにより、この領域では、計器用文字盤２を、第１凹凸層２３に妨げられないで明瞭に視認できる。この結果、低コストで計器用文字盤２の視認性を確保しつつ斬新な見映えが得られる計器用文字盤２を実現できる。【選択図】  図３
2006113045.tif 000002
【特許請求の範囲】
【請求項１】
基板と、
前記基板の表面側に設けられると共に微小な凹凸を有する第１凹凸層と、
前記第１凹凸層の表面の一部の領域に、前記凹凸を埋めて平坦化するように形成される凹凸消去層とを備えることを特徴とする計器用文字盤。
【請求項２】
前記凹凸消去層を、表示意匠として形成することを特徴とする請求項１に記載の計器用文字盤。
【請求項３】
前記基板と前記第１凹凸層と前記凹凸消去層は、透光性を有し、
前記基板の裏面に設けられると共に表示意匠を形成する表示層を備え、
前記凹凸消去層を、前記第１凹凸層の表面の少なくとも前記表示意匠に対向する領域に形成することを特徴とする請求項１に記載の計器用文字盤。
【請求項４】
前記第１凹凸層と前記凹凸消去層は、透光性を有し、
前記基板の表面に設けられると共に表示意匠を形成する表示層を備え、
前記第１凹凸層を、前記表示層の表面に形成し、
前記凹凸消去層を、前記第１凹凸層の表面の少なくとも前記表示意匠に対向する領域に形成することを特徴とする請求項１に記載の計器用文字盤。
【請求項５】
前記第１凹凸層は、前記基板の表面に微小な凹凸を設けて形成されることを特徴とする請求項３に記載の計器用文字盤。
【請求項６】
前記第１凹凸層は、印刷を施して形成されることを特徴とする請求項１ないし請求項５のいずれか一項に記載の計器用文字盤。
【請求項７】
前記凹凸は、幾何学模様であることを特徴とする請求項１ないし請求項６のいずれか一項に記載の計器用文字盤。
【請求項８】
前記凹凸は、シボ模様であることを特徴とする請求項５に記載の計器用文字盤。
【請求項９】
前記幾何学模様は、ヘアライン模様あることを特徴とする請求項７に記載の計器用文字盤。
【請求項１０】
前記凹凸消去層は、前記第１凹凸層の前記凹凸の模様と異なる模様である凹凸を有する第２凹凸層を備えることを特徴とする請求項１ないし請求項９のいずれか一項に記載の計器用文字盤。
【請求項１１】
指針を挿通させるための貫通孔を備え、
前記ヘアライン模様は、前記貫通孔と同心円状に形成されることを特徴とする請求項９に記載の計器用文字盤。
【請求項１２】
請求項９に記載の計器用文字盤を備えた計器であって、
前記計器用文字盤の表面に沿って回動する指針を備え、
前記表示意匠は、前記指針の回転中心を中心とする円弧に沿って配置され、
前記ヘアライン模様は、前記円弧と同心円状に形成されることを特徴とする計器。
【発明の詳細な説明】
【技術分野】
【０００１】
本発明は、ヘアライン加工その他の模様加工処理が施された計器計器用文字盤およびこれを有する計器に関するものである。
【背景技術】
【０００２】
従来より、計器用文字盤の表面側からヘアライン加工を施すことが、文字盤に高級感やスポーティ感等を与える装飾として、即ち、斬新な見映えを実現できる装飾として行われている。
【０００３】
しかし、文字盤の文字、目盛、シンボルマーク等の表示意匠を含めて、文字盤の全域にヘアライン加工をした場合、外来光（太陽光等）が表面のヘアライン調の凹凸によって反射するため、表示意匠の背景部と共に表示意匠も同様に白濁して見えて、表示意匠の視認性が低下する恐れがある。
【０００４】
この為、表示意匠と背景部を形成する表示層の内で、表示意匠の上に表示意匠よりも硬質の透光層を設け、この上の表示意匠以外の部分に、シルバー色のインキ層を設け、これにヘアライン加工を施すものが提案されている（特許文献１を参照）。
【０００５】
このヘアライン加工は、表面にヘアライン処理を施したフィルムを、硬質の透光層とシルバー色のインキ層の上に重ねた後、やや加熱されたローラなどの押圧手段によって、これらの層に押し付けて、シルバー色のインキ層のみにヘアライン模様を刻設しようとするものである。
【０００６】
表示意匠の上の透光層が硬質であるため、表面全体にヘアライン加工その他の模様加工処理を施した際に、表示意匠上の透光層には加工模様が発現しないか又は施された加工模様が目立たないようにできる。これにより、表示意匠の視認性を確保できる。
【特許文献１】特開２００１−１６５７１５号公報
【発明の開示】
【発明が解決しようとする課題】
【０００７】
しかし、特許文献１に開示される計器用文字盤では、表示意匠上の透光層が硬質である必要があり、ヘアライン加工も上述の方法に限定され、この透光層を形成した後にヘアライン加工を行う必要がある。これらのため、透光層の材料が限定され、ヘアライン加工工程も複雑になるため、製造コストが上昇するという問題があった。
【０００８】
本発明は、上記問題点に鑑みてなされたものであり、本発明の目的は、ヘアライン加工等の模様加工処理が施された計器用文字盤およびこれを有する計器において、低コストで計器用文字盤の視認性を確保しつつ斬新な見映えを実現できる計器用文字盤およびこれを有する計器を提供することである。
【０００９】
また、本発明の他の目的は、ヘアライン加工等の模様加工処理が施された計器用文字盤およびこれを有する計器において、低コストで計器用文字盤の表示意匠の視認性を確保しつつ斬新な見映えを実現できる計器用文字盤およびこれを有する計器を提供することである。
【課題を解決するための手段】
【００１０】
本発明は上記目的を達成するため、以下の技術的手段を採用する。
【００１１】
請求項１に記載の計器用文字盤は、基板と、基板の表面側に設けられると共に微小な凹凸を有する第１凹凸層と、第１凹凸層の表面の一部の領域に凹凸を埋めて平坦化するように形成される凹凸消去層とを備える構成とする。
【００１２】
この構成では、凹凸消去層が、第１凹凸層の一部の領域の凹凸を埋めて平坦化するため、この領域では、計器用文字盤を、第１凹凸層に妨げられないで明瞭に視認できる。これにより、低コストで計器用文字盤の視認性を確保しつつ斬新な見映えが得られる計器用文字盤を実現できる。
【００１３】
請求項２に記載の計器用文字盤は、凹凸消去層を、表示意匠として形成する構成とする。
【００１４】
この構成では、凹凸消去層が、表示意匠として形成されるため、表示意匠を明瞭に視認できる。これにより、低コストで表示意匠の視認性を確保しつつ斬新な見映えが得られる計器用文字盤を実現できる。
【００１５】
請求項３に記載の計器用文字盤は、基板と第１凹凸層と凹凸消去層が透光性を有し、基板の裏面に設けられると共に表示意匠を形成する表示層を備え、凹凸消去層を、第１凹凸層の表面の少なくとも表示意匠に対向する領域に形成する構成とする。
【００１６】
この構成では、凹凸消去層を、少なくとも表示意匠に対向する領域に形成するため、凹凸消去層を通して表示意匠を明瞭に視認できる。これにより、低コストで表示意匠の視認性を確保しつつ斬新な見映えが得られる計器用文字盤を実現できる。
【００１７】
請求項４に記載の計器用文字盤は、第１凹凸層と凹凸消去層が透光性を有し、基板の表面に設けられると共に表示意匠を形成する表示層を備え、第１凹凸層を、表示層の表面に形成し、凹凸消去層を、第１凹凸層の表面の少なくとも表示意匠に対向する領域に形成する構成とする。
【００１８】
この構成では、凹凸消去層を、少なくとも表示意匠に対向する領域に形成するため、凹凸消去層を通して表示意匠を明瞭に視認できる。これにより、低コストで表示意匠の視認性を確保しつつ斬新な見映えが得られる計器用文字盤を実現できる。又、表示層と第１凹凸層と凹凸消去層とを基板の表面である片面に形成するため、各層を簡易に形成でき、さらに低コストで表示意匠の視認性を確保しつつ斬新な見映えが得られる計器用文字盤を実現できる。
【００１９】
請求項５に記載の計器用文字盤は、第１凹凸層が基板の表面に微小な凹凸を設けて形成される構成とする。
【００２０】
この構成では、第１凹凸層が基板の表面に微小な凹凸を設けて形成されるため、基板の成型時にこれを形成でき、上述の効果をさらに低コストで実現できる。
【００２１】
請求項６に記載の計器用文字盤は、第１凹凸層が印刷を施して形成される構成とする。
【００２２】
この構成では、第１凹凸層が印刷を施して形成されるため、簡易にこれを形成でき、上述の効果をさらに低コストで実現できる。
【００２３】
請求項７に記載の計器用文字盤は、凹凸は、幾何学模様である構成とする。
【００２４】
この構成では、第１凹凸層の凹凸が幾何学模様状に光が反射する形状に形成されるため、より斬新な見映えが得られる計器用文字盤を実現できる。
【００２５】
請求項８に記載の計器用文字盤は、凹凸は、シボ模様である構成とする。
【００２６】
この構成では、第１凹凸層の凹凸が曇りガラス調に光が反射するシボ状に形成されるため、より斬新な見映えが得られる計器用文字盤を実現できる。
【００２７】
請求項９に記載の計器用文字盤は、幾何学模様がヘアライン模様ある構成とする。
【００２８】
この構成では、幾何学模様が金属調の細かな傷模様に光がキラキラと反射するヘアライン状に形成されるため、より斬新な見映えが得られる計器用文字盤を実現できる。
【００２９】
請求項１０に記載の計器用文字盤は、凹凸消去層が第１凹凸層の凹凸の模様と異なる模様である凹凸を有する第２凹凸層を備える構成とする。
【００３０】
この構成では、凹凸消去層が第１凹凸層の凹凸であって表示意匠に対向する領域を埋めて平坦化するだけでなく、第１凹凸層の凹凸の模様と異なる模様である凹凸を有する第２凹凸層を備える。これにより、低コストで表示意匠の視認性を確保できるだけでなく、互いに異なる凹凸模様を有する第１凹凸層と凹凸消去層とによって、より斬新な見映えが得られる計器用文字盤を実現できる。
【００３１】
請求項１１に記載の計器用文字盤は、指針を挿通させるための貫通孔を備え、ヘアライン模様が貫通孔と同心円状に形成される構成とする。
【００３２】
この構成では、ヘアライン模様が、指針を挿通させるための貫通孔と同心円状に形成される。これにより、指針の動きをイメージさせるヘアライン模様が形成されるため、より斬新な見映えが得られる計器用文字盤を実現できる。
【００３３】
請求項１２に記載の計器は、請求項７に記載の計器用文字盤を備えた計器であって、計器用文字盤の表面に沿って回動する指針を備え、表示意匠が指針の回転中心を中心とする円弧に沿って配置され、ヘアライン模様が円弧と同心円状に形成される構成とする。
【００３４】
この構成では、表示意匠が指針の回転中心を中心とする円弧に沿って配置され、ヘアライン模様がこの円弧と同心円状に形成される。これにより、指針の動きをイメージさせるヘアライン模様が形成されるため、より斬新な見映えが得られる計器を実現できる。
【発明を実施するための最良の形態】
【００３５】
以下、本発明による計器用文字盤を、自動車に搭載されるコンビネーションメータに適用した場合を例に図面に基づいて説明する。
【００３６】
（第１実施形態）
図１は、本発明の第１実施形態による計器用文字盤が適用されるコンビネーションメータ１の部分正面図である。
【００３７】
図２は、図１中のＩＩ部の拡大図である。
【００３８】
図３は、図２中のＩＩＩ−ＩＩＩ線断面の拡大模式図である。
【００３９】
図４は、本発明の第１実施形態による計器用文字盤が適用されるコンビネーションメータ１の電気回路構成を説明する回路構成図である。
【００４０】
図５は、図２で示すヘアライン模様の変形例を示す図１中のＶ部の拡大図である。
【００４１】
計器であるコンビネーションメータ１は、自動車の運転席前方に配置されて当該自動車に関する各種車両情報を表示する。本実施形態によるコンビネーションメータ１は、図１に示すように、自動車の走行速度を指示する速度計を形成する。
【００４２】
コンビネーションメータ１は、情報を表示して運転者に視認させるための計器用文字盤である文字盤２とその表面（図１の紙面の上側）を回動する指針４とを備え、図１の紙面の上側から運転者により視認されるように配置される。
【００４３】
文字盤２には、速度計として表示意匠である文字部（数字を含む）２１と表示意匠である目盛部２２が設けられ、高級感やスポーティ感等を与える装飾として第１凹凸層であるヘアライン２３が設けられる。ここで、表示意匠としてシンボルマーク等を設けても良い。
【００４４】
又、ヘアライン２３は、同心円状の微小な凹凸を有し、幾何学模様であるヘアライン模様状に形成される。ヘアライン模様とは、金属調の細かな傷模様に光がキラキラと反射する模様をいう。
【００４５】
文字盤２は、図２、３において、透光性を有する材料、例えば無色透明なポリカーボネート樹脂等の透光性有する基板である透光性基板２４、及びこの透光性基板２４の裏面である運転者と反対側の面（図３の矢印に示す下側の面）に形成された表示層である例えば白色の表示膜２５と表示層である例えば青色の背景膜２６とによって構成される。表示膜２５と背景膜２６は、透光性基板２４に印刷やホットスタンプ等により形成される。
【００４６】
背景膜２６の開口部２６ａ、２６ｂには、表示膜２５が形成され、開口部２６ａ、２６ｂ内の表示膜２５が文字部２１と目盛部２２を形成する。即ち、白色の表示膜２５による文字部２１と目盛部２２は、図２において、青色の背景膜２６による青色を背景として白色表示される。
【００４７】
尚、透光性基板２４の表面である運転者側の面（図３の矢印に示す上側の面）には、ヘアライン２３が、透光性基板２４の微小な凹凸を設けて形成されるが、これは、透光性基板２４の成型時に形成される。
【００４８】
本発明の特徴である凹凸消去層である凹凸消去膜３は、透光性を有する材料、例えば無色透明なアクリル樹脂等により形成され、図３に示すように、ヘアライン２３の表面であって少なくとも背景膜２６の開口部２６ａ、２６ｂに対向する領域に、ヘアライン２３の凹凸を埋めるように形成されるものである。即ち、凹凸消去膜３は、図２において、少なくとも文字部２１と目盛部２２を覆う領域に印刷等で形成される。
【００４９】
尚、印刷で形成する場合、凹凸消去膜３の表面（図３の矢印に示す上側の面）は、平坦ではあるが、平滑のレベルまでは必要なくて、ヘアライン２３の凹凸よりはるかに小さい凹凸を有する程度でよい。
【００５０】
又、文字盤２の裏側には、即ち、図１の紙面の下側には、外部からの電気信号（本実施形態によるコンビネーションメータ１においては車速信号）に対応した角度だけ図示しないシャフトを回動させるムーブメント５（図４）やムーブメント５を駆動する制御装置６（図４）等が配置される。
【００５１】
文字盤２の略中央部に設けられた図示しない指針４の回転中心である貫通孔には、ムーブメント５のシャフトが、挿通され、その先端に指針４が固定される。
【００５２】
以上説明した、本実施形態によるコンビネーションメータ１の電気回路構成について、図４に基づいて説明する。
【００５３】
例えばマイクロコンピュータ等から構成される制御装置６には、バッテリ８から電力が常時供給される。イグニッションスイッチ７は、その操作ポジション（ＯＮまたはＯＦＦ）を検出可能に接続され、当該自動車の走行速度を検出する速度センサ９が検出信号を入力可能に接続される。また、制御装置６には、ムーブメント５も接続される。
【００５４】
上述したように構成された、本発明の第１実施形態による速度計としてのコンビネーションメータ１の作動について、特に視認状態について説明する。
【００５５】
運転者によってイグニッションスイッチ７がＯＮされると、図４に示すように、制御装置６は、それを検出して作動を開始し、ムーブメント５を駆動する。即ち、制御装置６は、速度センサ９からの出力信号に基づき、当該自動車の車速を算出し、これに対応した角度だけシャフト即ち指針４を回動させるように、ムーブメント５を駆動する。
【００５６】
以下に、文字盤２の視認状態についてについて詳しく述べる。
【００５７】
外来光（太陽光等）は、凹凸消去膜３が形成されている領域では、凹凸消去膜３がヘアライン２３の凹凸を埋めるように形成されているため、図２中の矢印Ｐの光路に従ってほぼ直進し、白色の表示膜２５で反射して、白色光として運転者に視認される。
【００５８】
又、外来光は、凹凸消去膜３が形成されていない領域では、ヘアライン２３の凹凸のため、図２中の矢印Ｑ１の光路に従って反射する。一方、これと同じ方向の外来光は、これと異なる凹凸消去膜３が形成されていない領域では、図中の矢印Ｑ２の光路に従って異なる方向へ反射する。
【００５９】
このため、外来光は、凹凸消去膜３が形成されていない領域では、ヘアライン２３の凹凸のため、拡散され、ヘアライン２３に沿って同心円状に白濁化される。又、外来光の一部の光は、凹凸消去膜３が形成されていない領域でも、直進して青色の背景膜２６で反射する。その結果、外来光は、凹凸消去膜３が形成されていない領域では、ヘアライン２３に沿って同心円状に白濁化された青色として視認される。
【００６０】
即ち、白色の表示膜２５による文字部２１と目盛部２２は、図１３において、青色の背景膜２６とヘアライン２３とによるヘアライン２３に沿って同心円状に白濁化した青色を背景として白濁化しない白色で表示される。
【００６１】
ここで、上述した従来技術による計器用文字盤では、表示意匠の視認性を確保するため、表示意匠と背景部を形成する表示層の内で、表示意匠の上に表示意匠よりも硬質の透光層を設け、この上の表示意匠以外の部分に、シルバー色のインキ層を設け、透光層とシルバー色のインキ層にヘアライン加工を施す。これらのため、透光層の材料が限定され、ヘアライン加工方法も限定されて工程が複雑になるため、製造コストが上昇するという問題があった。
【００６２】
一方、以上説明した本発明の第１実施形態による計器用文字盤である文字盤２では、表示意匠である文字部２１と目盛部２２とは、それらの領域のヘアライン２３の凹凸を透光性を有する凹凸消去膜３で埋めるだけによって、白濁化しない白色で表示され、低コストで文字部２１と目盛部２２の視認性を確保できる。
【００６３】
又、凹凸消去膜３が形成されない領域、即ち、文字部２１と目盛部２２の背景部は、ヘアライン２３の凹凸に沿って同心円状に白濁化された青色で表示される。これにより、背景部はヘアライン２３に沿って同心円状に白濁化した青色で表示され、これを背景として文字部２１と目盛部２２は白濁化されない白色で表示される。これにより、文字盤２に対して、高級感やスポーティ感等を与えることができる。
【００６４】
その結果、ヘアライン加工が施された文字盤２において、低コストで文字部２１と目盛部２２の視認性を確保しつつ斬新な見映えを実現できる。
【００６５】
上述の説明では、透光性基板２４は無色透明であり、表示膜２５は白色であり、背景膜２６は青色であり、凹凸消去膜３は無色透明であったが、これに限る必要はない。文字部２１と目盛部２２とこれらの背景部は、図１において、互いに異なる色で表示されるように、透光性基板２４と表示膜２５と背景膜２６と凹凸消去膜３の各色を設定すれば良い。但し、透光性基板２４と凹凸消去膜３は、有彩色であっても良いが、少なくとも透明であることを要する。
【００６６】
又、ヘアライン２３は、図１に示すように、ヘアライン状の模様で同心円状に形成されているが、これに限る必要はなく、指針４の軸心から放射状に、あるいは、図５に示す様に互いに垂直なラインを組み合わせた模様状に形成しても良い。この場合は、図示しないが、図５に示す模様が、図１に示す文字盤２の全領域に形成されている。または、ヘアライン状の模様でなくてシボ状に形成しても良い。
【００６７】
尚、凹凸消去膜３の表面は、艶がある状態に形成しても梨地状に形成しても良い。艶がある状態に形成する場合は、凹凸消去膜３を透光性樹脂で形成し、梨地状に形成する場合は、凹凸消去膜３を不透光性粒を混入させた透光性樹脂で形成する。
【００６８】
（第２実施形態）
図６は、本発明の第２実施形態による計器用文字盤が適用されるコンビネーションメータ１の部分正面図である。
【００６９】
図７は、図６中のＶＩＩ部の拡大図である。
【００７０】
図８は、図７中のＶＩＩＩ−ＶＩＩＩ線断面の拡大模式図である。
【００７１】
図９は、図７中のＩＸ−ＩＸ線断面の拡大模式図である。
【００７２】
本発明の第２実施形態による計器用文字盤である文字盤２では、図６と図７に示すように、第１実施形態と異なり、表示意匠である文字部２１とメモリ部２２にも第１凹凸層であるヘアライン２３と異なる方向に第２凹凸層であるヘアラインを３１を形成する。
【００７３】
ヘアライン２３は、図６と図７に示すように同心円状に形成されるのに対して、ヘアライン３１は、指針４の軸心から放射状に形成される。具体的には、凹凸消去膜３は、図８に示すように、ヘアライン２３の凹凸を埋めるように形成されるが、図９に示すように、ヘアライン２３の凹凸と略垂直方向にヘアライン３１の凹凸を有するように印刷等により形成される。
【００７４】
ヘアライン３１は、１回の印刷等で形成しても良いが、２回の印刷で形成されるようにしても良い。２回の印刷で形成する場合、１回目の印刷で、ヘアライン２３の凹凸を埋め、２回目の印刷で、その上にヘアライン３１の凹凸を形成する。
【００７５】
その他の点は、第１実施形態と同一なため、その説明を省略する。
【００７６】
即ち、本発明の第２実施形態による計器用文字盤である文字盤２では、表示意匠である文字部２１と目盛部２２は、それらの領域のヘアライン２３の凹凸の模様を透光性を有する凹凸消去膜３で埋めるだけでなく、ヘアライン２３の凹凸の模様と異なる模様の凹凸を有するヘアライン３１を凹凸消去膜３に形成する。これにより、低コストで文字部２１と目盛部２２の視認性を確保できる。
【００７７】
さらに、互いに異なる凹凸を有するヘアライン２３、３１は、文字盤２に対してより高級感やスポーティ感等を与えることができる。
【００７８】
その結果、ヘアライン加工が施された文字盤２において、低コストで視認性を確保しつつより斬新な見映えを実現できる。
【００７９】
尚、ヘアライン２３は、図６に示すように同心円状に形成され、ヘアライン３１は、指針４の軸心から放射状に形成されるが、これに限る必要はなく、互いに異なる模様の凹凸を有する形状に形成すれば良い。
【００８０】
（第３実施形態）
図１０は、本発明の第３実施形態による計器用文字盤が適用されるコンビネーションメータ１の部分正面図である。
【００８１】
図１１は、図１０中のＸＩ−ＸＩ線断面の拡大模式図である。
【００８２】
本発明の第３実施形態による計器用文字盤である文字盤２では、図１０と図１１に示すように、第１実施形態および第２実施形態と異なり、透光性基板２４の表面である運転者側の面（図１１の矢印に示す上側の面）には、ヘアライン２３の代わりに第１凹凸層であるヘアライン膜２７が凹凸を有するように印刷等により形成される。
【００８３】
その他の点は、上述の実施形態と同一なため、その説明を省略する。
【００８４】
即ち、本発明の第３実施形態による計器用文字盤である文字盤２では、第１凹凸層であるヘアライン２３を、ヘアライン膜２７として印刷等の簡易な方法で形成するため、上述の実施形態の効果を低コストで実現できる。
【００８５】
（第４実施形態）
図１２は、本発明の第４実施形態による計器用文字盤が適用されるコンビネーションメータ１の部分正面図である。
【００８６】
図１３は、図１２中のＸＩＩＩ−ＸＩＩＩ線断面の拡大模式図である。
【００８７】
本発明の第４実施形態による計器用文字盤である文字盤２では、図１２と図１３に示すように、上述の実施形態と異なり、透光性基板２４の表面である運転者側の面（図１３の矢印に示す上側の面）に、表示層である表示膜２５と表示層である背景膜２６とを形成する。
【００８８】
さらに、表示膜２５と背景膜２６の表面（図１３の矢印に示す上側の面）に、第３実施形態と同様に、ヘアライン２３の代わりに第１凹凸層であるヘアライン膜２７が凹凸を有するように印刷等により形成される。
【００８９】
その他の点は、上述の実施形態と同一なため、その説明を省略する。
【００９０】
即ち、本発明の第４実施形態による計器用文字盤である文字盤２では、表示層である表示膜２５と背景膜２６と第１凹凸層であるヘアライン膜２７と凹凸消去層である凹凸消去膜３の全てを透光性基板２４の表面である片面に形成するため、各層を簡易に印刷等により形成でき、上述の実施形態の効果をさらに低コストで実現できる。
【００９１】
尚、本実施形態では、透光性基板２４の代わりに、透光性を有しない基板を用いることができる。
【００９２】
（第５実施形態）
図１４は、本発明の第５実施形態による計器用文字盤が適用されるコンビネーションメータ１の部分正面図である。
【００９３】
図１５は、図１４中のＸＶ−ＸＶ線断面の拡大模式図である。
【００９４】
本発明の第５実施形態による計器用文字盤である文字盤２では、図１４と図１５に示すように、上述の実施形態と異なり、凹凸消去層である凹凸消去膜３を、表示意匠である文字部２１と目盛部２２として形成し、表示層である表示膜２５と背景膜２６とを形成しない。その他の点は、上述の実施形態と同一なため、その説明を省略する。
【００９５】
即ち、本発明の第５実施形態による計器用文字盤である文字盤２では、凹凸消去層である凹凸消去膜３を、表示意匠である文字部２１と目盛部２２として形成する。これにより、文字部２１と目盛部２２とを、第１凹凸層であるヘアライン２３に妨げられないで明瞭に視認できる。これにより、低コストで表示意匠の視認性を確保しつつ斬新な見映えが得られる計器用文字盤を実現できる。
【００９６】
尚、本実施形態において、凹凸消去膜３は、透光性を有しても有さなくてもよい。また、透光性基板２４の代わりに、透光性を有しない基板を用いることもできる。
【００９７】
尚、上述の実施形態では、計器用文字盤を、速度計に適用したが、速度計に限る必要は無く、他の計器、例えばエンジン回転数を指示するタコメータ、水温計、燃料残量計、電圧計等に適用してもよい。
【００９８】
以上、本発明による計器用文字盤の特徴は、基板と、基板の表面側に設けられると共に微小な凹凸を有する第１凹凸層と、第１凹凸層の表面の一部の領域に凹凸を埋めて平坦化するように形成される凹凸消去層とを備えることである。
【００９９】
この特徴を満足する限り、上述した例以外に、種々の変形例が考えられる。
【図面の簡単な説明】
【０１００】
【図１】図１は、本発明の第１実施形態による計器用文字盤が適用されるコンビネーションメータ１の部分正面図である。
【図２】図２は、図１中のＩＩ部の拡大図である。
【図３】図３は、図２中のＩＩＩ−ＩＩＩ線断面の拡大模式図である。
【図４】図４は、本発明の第１実施形態による計器用文字盤が適用されるコンビネーションメータ１の電気回路構成を説明する回路構成図である。
【図５】図５は、図２で示すヘアライン模様の変形例を示す図１中のＶ部の拡大図である。
【図６】図６は、本発明の第２実施形態による計器用文字盤が適用されるコンビネーションメータ１の部分正面図である。
【図７】図７は、図６中のＶＩＩ部の拡大図である。
【図８】図８は、図７中のＶＩＩＩ−ＶＩＩＩ線断面の拡大模式図である。
【図９】図９は、図７中のＩＸ−ＩＸ線断面の拡大模式図である。
【図１０】図１０は、本発明の第３実施形態による計器用文字盤が適用されるコンビネーションメータ１の部分正面図である。
【図１１】図１１は、図１０中のＸＩ−ＸＩ線断面の拡大模式図である。
【図１２】図１２は、本発明の第４実施形態による計器用文字盤が適用されるコンビネーションメータ１の部分正面図である。
【図１３】図１３は、図１２中のＸＩＩＩ−ＸＩＩＩ線断面の拡大模式図である。
【図１４】図１４は、本発明の第５実施形態による計器用文字盤が適用されるコンビネーションメータ１の部分正面図である。
【図１５】図１５は、図１４中のＸＶ−ＸＶ線断面の拡大模式図である。
【符号の説明】
【０１０１】
１  コンビネーションメータ（計器）
２  文字盤（計器用文字盤）、２１  文字部（表示意匠）、２２  目盛部（表示意匠）
２３  ヘアライン（第１凹凸層）、２４  透光性基板（基板）、２５  表示膜（表示層）
２６  背景膜（表示層）、２６ａ  開口部、２６ｂ  開口部
２７  ヘアライン膜（第１凹凸層）、３  凹凸消去膜（凹凸消去層）
３１  ヘアライン（第２凹凸層）
４  指針、５  ムーブメント、６  制御装置、７  イグニッションスイッチ
８  バッテリ、９  速度センサ
【図１】
2006113045.tif 000003
【図２】
2006113045.tif 000004
【図３】
2006113045.tif 000005
【図４】
2006113045.tif 000006
【図５】
2006113045.tif 000007
【図６】
2006113045.tif 000008
【図７】
2006113045.tif 000009
【図８】
2006113045.tif 000010
【図９】
2006113045.tif 000011
【図１０】
2006113045.tif 000012
【図１１】
2006113045.tif 000013
【図１２】
2006113045.tif 000014
【図１３】
2006113045.tif 000015
【図１４】
2006113045.tif 000016
【図１５】
2006113045.tif 000017